(57)【要約】【課題】周囲の環境の影響を受けることなく、設置される高さに応じた冷却を行うことが可能なプロジェクタ等を提供すること。【解決手段】プロジェクタ１００が、ファン１１０と、ファン１１０の風量を測定する測定部１３０と、一定の駆動電圧でファン１１０を駆動する駆動部１２０と、前記風量と高さとの関係を示す変換データ１４２を記憶する記憶部１４０と、前記風量と、変換データ１４２とに基づき、高さを求めるとともに、当該高さが第１の基準値以上かどうかを判定する判定部１５０と、前記高さが第１の基準値以上の場合に高地用制御を行い、前記高さが第１の基準値未満の場合に低地用制御を行う制御部１６０とを含んで構成される。【選択図】図１
2008076863.tif 000002
【特許請求の範囲】
【請求項１】
ファンと、
当該ファンの風量を測定する測定部と、
一定の駆動電圧で前記ファンを駆動する駆動部と、
前記風量と標高との関係を示す変換データを記憶する記憶部と、
前記風量と、前記変換データとに基づき、標高を求めるとともに、当該標高が第１の基準値以上かどうかを判定する判定部と、
前記標高が第１の基準値以上の場合に高地用制御を行い、前記標高が第１の基準値未満の場合に低地用制御を行う制御部と、
を含むことを特徴とするプロジェクタ。
【請求項２】
請求項１に記載のプロジェクタにおいて、
表示部を含み、
前記判定部は、前記標高が第１の基準値よりも大きい第２の基準値以上かどうかを判定し、
前記表示部は、前記標高が第２の基準値以上の場合に警告表示を行うことを特徴とするプロジェクタ。
【請求項３】
ファンと、当該ファンの風量を測定する測定部と、前記ファンを駆動する駆動部と、前記風量と標高との関係を示す変換データを記憶する記憶部とを有するプロジェクタの有するコンピュータを、
前記風量と、前記変換データとに基づき、標高を求めるとともに、当該標高が第１の基準値以上かどうかを判定する判定部と、
前記駆動部に一定電圧で前記ファンを駆動するように制御するとともに、前記標高が第１の基準値以上の場合に高地用制御を行い、前記標高が第１の基準値未満の場合に低地用制御を行う制御部として機能させることを特徴とするプログラム。
【請求項４】
ファンと、当該ファンの風量を測定する測定部と、前記ファンを駆動する駆動部と、前記風量と標高との関係を示す変換データを記憶する記憶部とを有するプロジェクタの有するコンピュータにより読み取り可能なプログラムを記憶した情報記憶媒体であって、
請求項３に記載のプログラムを記憶した情報記憶媒体。
【発明の詳細な説明】
【技術分野】
【０００１】
本発明は、プロジェクタ、プログラムおよび情報記憶媒体に関する。
【背景技術】
【０００２】
プロジェクタに内蔵された冷却ファンを駆動した場合であっても、プロジェクタの設置される標高によって冷却ファンの風量は異なる。このため、標高によっては通常の設定では適切な冷却効果を得られない場合もある。したがって、プロジェクタは、標高に応じた冷却制御を行う必要がある。
【０００３】
従来、標高に関する情報は、ユーザーが手動でプロジェクタに入力していた。例えば、特開２００４−１５７３５６号公報では、低地、標準、高地の３種類から１つの標高を選択させるための画像を表示し、標高の選択に応じてプロジェクタの冷却制御を行うことが記載されている。
【０００４】
しかし、このような作業はユーザーにとって手間のかかる作業である上、ユーザーが標高を判断することも困難であった。
【０００５】
また、例えば、特開２００５−７０５１４号公報では、プロジェクタ内部における所定時間内の温度勾配を算出し、温度勾配に基づいてプロジェクタの冷却制御を行うことが記載されている。
【特許文献１】特開２００４−１５７３５６号公報
【特許文献２】特開２００５−７０５１４号公報
【発明の開示】
【発明が解決しようとする課題】
【０００６】
しかし、プロジェクタ内部の温度勾配は、プロジェクタの周囲の温度の影響を受けてしまうため、特開２００５−７０５１４号公報の手法では、プロジェクタの冷却制御を適切に行うことは困難である。
【０００７】
本発明の目的は、周囲の環境の影響を受けることなく、設置される標高に応じた冷却を行うことが可能なプロジェクタ、プログラムおよび情報記憶媒体を提供することにある。
【課題を解決するための手段】
【０００８】
上記課題を解決するため、本発明に係るプロジェクタは、
ファンと、
当該ファンの風量を測定する測定部と、
一定の駆動電圧で前記ファンを駆動する駆動部と、
前記風量と標高との関係を示す変換データを記憶する記憶部と、
前記風量と、前記変換データとに基づき、標高を求めるとともに、当該標高が第１の基準値以上かどうかを判定する判定部と、
前記標高が第１の基準値以上の場合に高地用制御を行い、前記標高が第１の基準値未満の場合に低地用制御を行う制御部と、
を含むことを特徴とする。
【０００９】
また、本発明に係るプログラムは、
ファンと、当該ファンの風量を測定する測定部と、前記ファンを駆動する駆動部と、前記風量と標高との関係を示す変換データを記憶する記憶部とを有するプロジェクタの有するコンピュータを、
前記風量と、前記変換データとに基づき、標高を求めるとともに、当該標高が第１の基準値以上かどうかを判定する判定部と、
前記駆動部に一定電圧で前記ファンを駆動するように制御するとともに、前記標高が第１の基準値以上の場合に高地用制御を行い、前記標高が第１の基準値未満の場合に低地用制御を行う制御部として機能させることを特徴とする。
【００１０】
また、本発明に係る情報記憶媒体は、
ファンと、当該ファンの風量を測定する測定部と、前記ファンを駆動する駆動部と、前記風量と標高との関係を示す変換データを記憶する記憶部とを有するプロジェクタの有するコンピュータにより読み取り可能なプログラムを記憶した情報記憶媒体であって、
上記プログラムを記憶したことを特徴とする。
【００１１】
本発明によれば、プロジェクタ等は、例えば、起動時等にファンを一定の駆動電圧で駆動して風量を測定し、当該風量を標高に換算することにより、周囲の環境の影響を受けることなく、設置される標高に応じた冷却制御を行うことができる。
【００１２】
また、前記プロジェクタは、表示部を含み、
前記判定部は、前記標高が第１の基準値よりも大きい第２の基準値以上かどうかを判定し、
前記表示部は、前記標高が第２の基準値以上の場合に警告表示を行ってもよい。
【００１３】
これによれば、プロジェクタ等は、標高が高すぎて使用できないことを警告表示することができ、ユーザーは、当該警告表示によってプロジェクタが使用できないことを把握することができる。
【発明を実施するための最良の形態】
【００１４】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００１５】
図１は、本実施例におけるプロジェクタ１００の機能ブロック図である。
【００１６】
プロジェクタ１００は、ファン１１０と、ファン１１０の風量を測定する測定部１３０と、一定の駆動電圧でファン１１０を駆動する駆動部１２０と、記憶部１４０と、種々の判定を行う判定部１５０と、種々の制御を行う制御部１６０と、冷却部１７０と、表示部１８０とを含んで構成されている。なお、プロジェクタ１００には、画像処理部、投写部等の一般的な構成も含まれる。
【００１７】
また、記憶部１４０は、ファン１１０の風量とプロジェクタ１００の設置地点における標高との関係を示す変換データ１４２、判定部１５０の判定のための基準値を示す基準値データ１４４、測定部１３０による測定値を示す測定データ１４６等を記憶している。
【００１８】
ここで、変換データ１４２と基準値データ１４４についてより詳細に説明する。
【００１９】
図２は、本実施例における変換データ１４２の一例を示す図である。
【００２０】
変換データ１４２は、図２に示すようにファン１１０の風量とプロジェクタ１００の設置地点における標高との関係を示すデータである。例えば、風量が１０である場合、標高は１０００ｍであり、風量が５である場合、標高は３０００ｍである。このように、一般的に、プロジェクタ１００の設置地点の標高が上がるほどファン１１０の風量は低下する。
【００２１】
また、変換データ１４２は、風量と標高とが対応付けられたテーブル形式であってもよいし、風量から標高を導き出す関数形式であってもよい。なお、風量と標高との対応付けを示すデータは、例えば、実験によって求められてもよい。また、風量は、１０等の値であってもよいし、メートル毎秒等の風速を示す値であってもよい。
【００２２】
次に、基準値データ１４４について説明する。
【００２３】
図３は、本実施例における基準値データ１４４の一例を示す図である。
【００２４】
基準値データ１４４は、判定部１５０が判定を行うための基準値を示すデータである。例えば、図３に示す例では、低地か高地かを判定するための第１の基準値が１０００（ｍ）であり、プロジェクタ１００が使用できない標高であるかどうかを判定するための第２の基準値が３０００（ｍ）であることを示す。
【００２５】
なお、判定部１５０は、判定アルゴリズムとして第１の基準値および第２の基準値を有していてもよい。この場合、基準値データ１４４は不要である。
【００２６】
また、駆動部１２０等のハードウェアとしては、例えば、以下のものを採用してもよい。例えば、駆動部１２０としては駆動回路等、測定部１３０としては風速計等、記憶部１４０としてはＲＯＭ、ＲＡＭ等、判定部１５０、制御部１６０としてはＣＰＵ等、表示部１８０としてはＬＥＤ等、冷却部１７０としては冷却用ファン等を採用してもよい。また、ファン１１０は、冷却部１７０の冷却ファンを用いてもよく、冷却ファンとは異なる専用のファンであってもよい。
【００２７】
また、プロジェクタ１００は、制御部１６０等としてプロジェクタ１００の有するコンピュータを機能させるためのプログラムを情報記憶媒体２００から読み取ってもよい。
【００２８】
また、このような情報記憶媒体２００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００２９】
次に、測定データ１４６等に基づく冷却判定処理の手順について説明する。
【００３０】
図４は、本実施例における冷却判定処理の流れを示すフローチャートである。
【００３１】
プロジェクタ１００の起動ボタンが押された際に制御部１６０は一定電圧（例えば、８Ｖ等）でファン１１０を駆動するように駆動部１２０を制御する。
【００３２】
駆動部１２０は、一定の駆動電圧でファン１１０を駆動する（ステップＳ１）。
【００３３】
測定部１３０は、ファン１１０の風量を測定し（ステップＳ２）、測定データ１４６として記憶部１４０に記憶する。
【００３４】
判定部１５０は、測定データ１４６に含まれる測定値を、変換データ１４２に基づき、標高に変換する（ステップＳ３）。
【００３５】
そして、判定部１５０は、基準値データ１４４に基づき、当該標高が第１の基準値以上かどうかを判定する（ステップＳ４）。例えば、標高が１０００ｍであれば第１の基準値以上であり、標高が５００ｍであれば第１の基準値未満である。
【００３６】
標高が第１の基準値未満の場合、制御部１６０は、冷却制御を低地用（通常）に設定し（ステップＳ６）、プロジェクタ１００を正常起動し、低地用の設定に応じて冷却部１７０を制御する（ステップＳ９）。
【００３７】
一方、標高が第１の基準値以上の場合、判定部１５０は、基準値データ１４４に基づき、当該標高が第２の基準値以上かどうかを判定する（ステップＳ５）。例えば、標高が３０００ｍであれば第２の基準値以上であり、標高が１５００ｍであれば第２の基準値未満である。
【００３８】
標高が第１の基準値以上第２の基準値未満の場合、制御部１６０は、冷却制御を高地用に設定し（ステップＳ７）、表示部１８０は、高地用冷却制御を行うことを表示する（ステップＳ８）。なお、高地用冷却制御を行うことを表示する手法としては、例えば、高地用冷却制御を行うことを示すＬＥＤを点灯する手法、高地用冷却制御を行うことを示す画像を投写する手法等を採用してもよい。
【００３９】
そして、制御部１６０は、プロジェクタ１００を正常起動し、高地用の設定に応じて冷却部１７０を制御する（ステップＳ９）。
【００４０】
一方、標高が第２の基準値以上の場合、表示部１８０は、プロジェクタ１００を使用できないことを示すＬＥＤを点灯または点滅することにより、使用不可であることを警告表示する（ステップＳ１０）。
【００４１】
また、標高が第２の基準値以上の場合、プロジェクタ１００は起動を中止する。
【００４２】
なお、以上の冷却判定処理が終了した場合、制御部１６０は、ファン１１０の駆動を停止するように駆動部１２０を制御してもよいし、ファン１１０が冷却ファンである場合は温度等の状況に応じて駆動されるように駆動部１２０を制御してもよい。
【００４３】
以上のように、本実施例によれば、プロジェクタ１００は、例えば、起動時等にファン１１０を一定の駆動電圧で駆動して風量を測定し、当該風量を標高に換算することにより、周囲の環境の影響を受けることなく、設置される標高に応じた冷却を行うことができる。
【００４４】
また、本実施例によれば、ユーザーは自分で標高を判断したり、冷却制御の設定を行ったりする必要がないため、プロジェクタ１００は、ユーザーの手間を軽減し、ユーザビリティーを向上させることができる。
【００４５】
また、本実施例によれば、プロジェクタ１００は、プロジェクタ１００の使用地点の標高が高すぎて使用できないことを警告表示することができ、ユーザーは、当該警告表示によってプロジェクタ１００が使用できないことを把握することができる。
【００４６】
なお、本発明の適用は上述した実施例に限定されず、種々の変形が可能である。
【００４７】
例えば、判定部１５０は、標高を判定する際に、ＧＰＳ（Global Positioning System）を併用してもよい。
【００４８】
また、判定部１５０は、低地、高地の区分ではなく、例えば、低地、標準、高地といったより多くの基準値を用いて判定してもよく、制御部１６０は、より多くの区分に応じた制御を行ってもよい。
【００４９】
また、プロジェクタ１００が音出力部を有している場合、制御部１６０は、表示部１８０による表示に代え、使用不可であることを示す警告音を音出力部に出力させたり、高地制御を行うことを示す音を音出力部に出力させたりしてもよい。
【００５０】
また、高さを示す値は、標高には限定されず、高さを示す任意の値を採用可能である。
【００５１】
また、プロジェクタ１００としては、種々のプロジェクタを採用可能であり、例えば、液晶プロジェクタ、ＣＲＴ（Cathode Ray Tube）プロジェクタ、有機ＥＬ（Electro Luminescence）を用いたプロジェクタ、米国テキサス・インスツルメンツ社が開発したＤＭＤ（Di gital Micromirror Device）を用いたプロジェクタ等を採用可能である。
【図面の簡単な説明】
【００５２】
【図１】本実施例におけるプロジェクタの機能ブロック図である。
【図２】本実施例における変換データの一例を示す図である。
【図３】本実施例における基準値データの一例を示す図である。
【図４】本実施例における冷却判定処理の流れを示すフローチャートである。
【符号の説明】
【００５３】
１００  プロジェクタ、１１０  ファン、１２０  駆動部、１３０  測定部、１４０  記憶部、１４２  変換データ、１４４  基準値データ、１４６  測定データ、１５０  判定部、１６０  制御部、１７０  冷却部、１８０  表示部、２００  情報記憶媒体
【図１】
2008076863.tif 000003
【図２】
2008076863.tif 000004
【図３】
2008076863.tif 000005
【図４】
2008076863.tif 000006